(57)【特許請求の範囲】
【請求項１】
異なる通信プロトコルによる複数のネットワークと接続して、該複数のネットワークそれぞれと通信を行う監視制御装置であって、
前記複数のネットワークのそれぞれに送受する信号を処理する複数のネットワーク処理部と、
該複数のネットワーク処理部それぞれで受信された後に処理された信号を一時的に記憶するバッファと、
前記ネットワーク処理部それぞれで受信される信号の送信元となる機器のアドレスと、該機器が属するネットワークとの関係を記憶したネットワーク指定テーブルと、
前記バッファに一時的に記憶された信号を読み出した後、前記ネットワーク指定テーブルを参照して、送信元の機器のアドレスより当該信号が送信されたネットワークを確認し、確認したネットワークの通信プロトコルに基づいて当該信号を処理する制御部と、
該制御部で処理された信号を、その信号が伝送されたネットワーク毎に記憶するデータメモリ部と、
を備え、
前記バッファは、前記複数のネットワーク処理部に対して共通であり、該バッファには、前記複数のネットワーク処理部のそれぞれで受信されたデータが、その送信元アドレスを含めて、受信順に記憶されることを特徴とする監視制御装置。
【請求項２】
請求項１において、
前記制御部は、前記ネットワークそれぞれへ送信する信号を生成し、生成した当該信号を前記バッファに一時的に記憶させ、
前記バッファに一時的に記憶された当該信号を、その送信先となるネットワークに対応したネットワーク処理部に送出して処理した後、当該ネットワークに送信することを特徴とする監視制御装置。
【請求項３】
請求項２において、
前記ネットワーク処理部が、設備機器と通信を行う下位ネットワークに接続される第１ネットワーク処理部と、前記設備機器を遠隔監視制御する管理サーバと通信を行う上位ネットワークに接続される第２ネットワーク処理部とであり、
前記第１ネットワーク処理部が、前記設備機器の動作状態を示す監視用信号を受信したとき、該監視用信号を前記制御部で処理した後に、前記第２ネットワーク処理部が該監視用信号を前記管理サーバに送信する一方で、
前記第２ネットワーク処理部が、設備機器を制御する制御信号を受信したとき、該制御信号を前記制御部で処理した後に、前記第１ネットワーク処理部より対象となる設備機器に該制御信号を送信することを特徴とする監視制御装置。
【発明の詳細な説明】
【技術分野】
【０００１】
本発明は、空調装置や照明器具などの設備機器の監視・制御を行う監視制御装置に関するものであって、特に、管理サーバと上位ネットワークで通信を行うと同時に設備機器と下位ネットワークで通信を行う監視制御装置に関する。
【背景技術】
【０００２】
従来より、照明装置、空調装置、警報器、及び電気錠などといった設備機器の制御や監視を行う監視制御システムにおいて、通信方式の異なる複数のネットワークで階層化した遠隔監視制御システムが提供されている。この遠隔監視制御システムは、複数の設備機器を監視制御する監視制御装置を備えるとともに、管理サーバが複数の監視制御装置と通信を行う構成とされ、複数の設備機器が、管理サーバから監視制御装置を介して集中的に遠隔制御されるようになっている。このような遠隔監視制御システムの１つとして、監視制御装置となるローカル制御装置と、管理サーバとなるセンターサーバとをネットワークで接続し、被制御機器となる設備機器をセンターサーバにより遠隔制御する遠隔制御システムが提案されている（特許文献１参照）。
【０００３】
特許文献１の遠隔制御システムは、複数の被制御機器と通信を行う伝送線に接続された複数のローカル制御装置が、インターネットなどのネットワークを通じてセンターサーバに接続された構成となっている。この遠隔制御システムでは、センターサーバがローカル制御装置にネットワークを通じて制御コマンドを送信すると、この制御コマンドがローカル制御装置より被制御機器に伝送線を通じて送信されて、被制御機器が制御コマンドによる動作を実行する。即ち、センターサーバによって、ローカル制御装置を通じた被制御機器の動作の遠隔制御が実行される。
【０００４】
このような遠隔制御システムを含む、遠隔監視制御システムでは、ローカル制御装置などの監視制御装置が、通信プロトコルの異なる複数のネットワークと接続する。そのため、監視制御装置は、管理サーバと設備機器との間を仲介する通信を行う際、それぞれのネットワークの通信プロトコルに応じた信号に変換して、管理サーバと設備機器との間の通信を行う。又、このような監視制御装置のように、異なる通信プロトコルの複数のネットワークと接続される場合、それぞれのネットワークと接続されるインターフェースを備えた通信制御装置を備えた構成とされる。
【０００５】
更に、複数のネットワークと接続する通信制御装置として、空調装置の監視制御を行うためのＬＡＮ、及び、照明器具の監視制御を行うためのＬＡＮそれぞれと接続されたものが提案されている（特許文献２参照）。特許文献２の通信制御装置は、接続された異なるＬＡＮとの通信制御を行うもので、それぞれのＬＡＮと上位ＣＰＵとの間での通信を確立するために、通信制御ＣＰＵを設けた構成となっている。この通信制御装置は、上位ＣＰＵによる処理に基づいて、空調装置又は照明器具を監視制御するために、それぞれが通信を行うＬＡＮに接続されるＬＡＮ制御ＣＰＵが、通信制御ＣＰＵにより選択されて、上位ＣＰＵと接続され、その通信が確立される。即ち、特許文献２に示す通信制御装置は、異なるＬＡＮとの通信を確立するために、通信制御ＣＰＵにより、上位ＣＰＵと接続されるＬＡＮ制御ＣＰＵが選択されて接続される構成となっている。
【先行技術文献】
【特許文献】
【０００６】
【特許文献１】特開２００９−０８１５８２号公報
【特許文献２】特開平０９−１３０８７４号公報
【発明の概要】
【発明が解決しようとする課題】
【０００７】
特許文献２の通信制御装置に代表される、従来の通信制御装置を有する監視制御装置とした場合、その通信制御装置により、ネットワークが切り換えられて、監視制御装置が通信を行う。そのため、通信の対象となるネットワークと接続されるインターフェースを切り換えるための通信制御ＣＰＵなどによる処理装置が必要となり、その装置構成が複雑なものとなる。又、複数のインターフェースのうちの１つを選択して通信を行う構成であるため、その通信が完了するまで、選択されていないインターフェースによる通信が停止されることとなり、通信にかかる時間が長くなってしまう。
【０００８】
このような問題を鑑みて、本発明は、複数種類のネットワークと接続することができるとともに、それぞれのネットワークからの信号を一時的に記憶した後に、その送信元に応じて振り分けて処理ができる監視制御装置を提供することを目的とする。
【課題を解決するための手段】
【０００９】
上記目的を達成するために、本発明の監視制御装置は、異なる通信プロトコルによる複数のネットワークと接続して、該複数のネットワークそれぞれと通信を行う監視制御装置であって、前記複数のネットワークのそれぞれに送受する信号を処理する複数のネットワーク処理部と、該複数のネットワーク処理部それぞれで受信された後に処理された信号を一時的に記憶するバッファと、前記ネットワーク処理部それぞれで受信される信号の送信元となる機器のアドレスと、該機器が属するネットワークとの関係を記憶したネットワーク指定テーブルと、前記バッファに一時的に記憶された信号を読み出した後、前記ネットワーク指定テーブルを参照して、送信元の機器のアドレスより当該信号が送信されたネットワークを確認し、確認したネットワークの通信プロトコルに基づいて当該信号を処理する制御部と、該制御部で処理された信号を、その信号が伝送されたネットワーク毎に記憶するデータメモリ部と、を備え、前記バッファは、前記複数のネットワーク処理部に対して共通であり、該バッファには、前記複数のネットワーク処理部のそれぞれで受信されたデータが、その送信元アドレスを含めて、受信順に記憶されることを特徴とする。
【００１０】
このような監視制御装置において、前記制御部は、前記ネットワークそれぞれへ送信する信号を生成し、生成した当該信号を前記バッファに一時的に記憶させ、前記バッファに一時的に記憶された当該信号を、その送信先となるネットワークに対応したネットワーク処理部に送出して処理した後、当該ネットワークに送信する。
【００１１】
更に、前記ネットワーク処理部が、設備機器と通信を行う下位ネットワークに接続される第１ネットワーク処理部と、前記設備機器を遠隔監視制御する管理サーバと通信を行う上位ネットワークに接続される第２ネットワーク処理部とであり、前記第１ネットワーク処理部が、前記設備機器の動作状態を示す監視用信号を受信したとき、該監視用信号を前記制御部で処理した後に、前記第２ネットワーク処理部が該監視用信号を前記管理サーバに送信する一方で、前記第２ネットワーク処理部が、設備機器を制御する制御信号を受信したとき、該制御信号を前記制御部で処理した後に、前記第１ネットワーク処理部より対象となる設備機器に該制御信号を送信するものとしてもよい。
【発明の効果】
【００１２】
本発明によると、異なる通信プロトコルを利用する複数のネットワークと通信する際、それぞれのネットワークから受信した信号をバッファに一時的に記憶した後に制御部に送出し、制御部では、ネットワーク指定テーブルを参照して、その信号の送信元のアドレスより、対応する通信プロトコルを確認する。これにより、各ネットワークから受信した信号を一度にバッファに記憶させた後、制御部において、ネットワーク毎に応じた信号処理を施すことができる。よって、監視制御装置の装置構成を簡単化できるとともに、小型化を図ることができる。
【図面の簡単な説明】
【００１３】
【図１】は、本発明の監視制御装置の内部構成を示すブロック図である。
【図２】は、図１に示す監視制御装置を備えた遠隔監視制御システムの構成を示すブロック図である。
【図３】は、図１に示す監視制御装置のメモリに記憶された、ネットワーク指定テーブルの構成を示す図である。
【発明を実施するための形態】
【００１４】
本発明の実施形態について、図面を参照して以下に説明する。図１は、本実施形態の監視制御装置の内部構成を示すブロック図である。図２は、図１に示す監視制御装置を備えた遠隔監視制御システムの構成を示すブロック図である。尚、監視制御装置について、図１に示すように、２つの下位ネットワークに接続される構成のものを例に挙げて説明するが、１つの下位ネットワークと接続する構成であってもよいし、３つ以上の下位ネットワークと接続する構成であってもよい。
【００１５】
図１に示す監視制御装置１は、設備機器である空調装置３ａ（図２参照）を監視制御するための下位ネットワークの伝送線Ｌ１ａと接続されるコネクタ部１１ａと、設備機器である照明機器３ｂ（図２参照）を監視制御するための下位ネットワークの伝送線Ｌ１ｂと接続されるコネクタ部１１ｂと、遠隔監視制御システム全体を集中的に管理する管理サーバ２（図２参照）と通信を行う上位ネットワークの伝送線Ｌ２と接得されるコネクタ部１２とを備える。そして、監視制御装置１は、コネクタ部１１ａ，１１ｂ，１２それぞれと接続されるネットワーク処理部１３ａ，１３ｂ，１４と、バス回線１６を介してネットワーク処理部１３ａ，１３ｂ，１４それぞれと信号の送受を行うバスバッファ１５と、バス回線１７を介してバスバッファ１５と信号の送受を行う制御部１８と、制御部１８による信号処理動作を実行するためのプログラムやネットワーク指定テーブルＴ１などを記憶するメモリ部１９と、制御部１８で処理された信号を記憶するデータメモリ部２０ａ，２０ｂ，２１とを備える。
【００１６】
この監視制御装置１は、バスバッファ１５を挟んで、バス回線１６に接続されたネットワーク処理部１３ａ，１３ｂ，１４による通信用ブロックと、バス回線１７に接続された制御部１８、メモリ部１９、及びデータメモリ部２０ａ，２０ｂ，２１による制御用ブロックとが、設けられた構成となる。即ち、通信用ブロックで受信された信号は、バス回線１６を通じてバスバッファ１５に与えられて、バスバッファ１５で一時的に格納された後、バス回線１７を介して制御用ブロックに送出される。一方、通信用ブロックより送信される信号は、制御用ブロックからバス回線１６を通じてバスバッファ１５に与えられて、バスバッファ１５で一時的に格納された後、バス回線１６を介して通信用ブロックに送出される。
【００１７】
図２に示す遠隔監視制御システムは、図１に示す構成の監視制御装置１を複数備えるとともに、複数の監視制御装置１と上位ネットワークＮＴ２を介して通信を行う管理サーバ２と、監視制御装置１のそれぞれと下位ネットワークＮＴ１を介して通信を行う設備機器である、空調装置３ａ、照明機器３ｂ、警報器３ｃ、及び電気錠３ｄと、を備える。下位ネットワークＮＴ１それぞれには、１つの監視制御装置１に対して、複数の設備機器（空調装置３ａ、照明機器３ｂ、警報器３ｃ、及び電気錠３ｄに相当する）が接続され、その動作が、監視制御装置１により監視制御される。
【００１８】
尚、図２に示す遠隔監視制御システムでは、その説明を簡単にするために、下位ネットワークＮＴ１それぞれには、空調装置３ａ、照明機器３ｂ、警報器３ｃ、及び電気錠３ｄのそれぞれが設置されるのみの構成としているが、例えば、空調装置３ａについては、温水又は冷水の流量を制御する制御弁、熱交換後の温風又は冷風を排出するファン、ダクトを流れる温風又は冷風を室内に流入させるダンパーなどを有するとともに、室内温度を設定温度に調整するために、制御弁やダンパーの開度及びファンによる送風量を制御するコントローラを有している。そして、この空調装置３ａのコントローラは、下位ネットワークＮＴ１に接続されて、監視制御装置１と通信を行う。又、照明機器３ｂを監視制御するネットワークＮＴ１については、照明機器３ｂをＯＮ／ＯＦＦを行うリレーを有する制御端末装置や、照明装置３ｂのＯＮ／ＯＦＦ操作を受け付ける操作端末が接続される。
【００１９】
このような遠隔監視制御システムは、監視制御装置１が、下位ネットワークＮＴ１に接続される設備機器（空調装置３ａ、照明機器３ｂ、警報器３ｃ、及び電気錠３ｄに相当する）に制御信号を送信して、その動作を制御するとともに、設備機器から信号を受信して、その設備機器の動作状態を監視する。このとき、下位ネットワークＮＴ１に接続される監視制御装置１、空調装置３ａ、照明機器３ｂ、警報器３ｃ、及び電気錠３ｄのそれぞれには、アドレスが割り付けられ、下位ネットワークＮＴ１上で伝送される信号には、送信先となる機器のアドレスと、送信元となる機器のアドレスが含まれる。この監視制御装置１、空調装置３ａ、照明機器３ｂ、警報器３ｃ、及び電気錠３ｄのそれぞれに割り当てられるアドレスは、その下位ネットワークＮＴ１における通信プロトコルに応じた方式に従って設定される。
【００２０】
又、管理サーバ２は、上位ネットワークＮＴ２を通じて、複数の監視制御装置１と通信を行うことによって、下位ネットワークＮＴ１に接続されている設備機器それぞれが、監視制御装置１を介して、管理サーバ２により遠隔監視制御される。即ち、管理サーバ２により設備機器を遠隔制御する場合は、管理サーバ２からの制御信号が、上位ネットワークＮＴ２を通じて監視制御装置１に送信される。又、監視制御装置１は、設備機器それぞれの動作状態を示す監視用信号を、上位ネットワークＮＴ２を通じて管理サーバ２に送信する。この上位ネットワークＮＴ２は、使用する通信プロトコルとして、例えば、ＢＡＣｎｅｔプロトコルが利用される。そして、上位ネットワークＮＴ２に接続される監視制御装置１及び管理サーバ２それぞれは、上位ネットワークＮＴ２の通信プロトコルに従った、ＩＰアドレスなどによるアドレスが割り付けられる。この上位ネットワークＮＴ２上で伝送される信号についても、送信先となる機器のアドレスと、送信元となる機器のアドレスが含まれる。
【００２１】
即ち、図２に示す遠隔監視制御システムにおいて、管理サーバ２が、特定の設備機器を所定の動作状態で動作させるための制御信号を生成すると、この制御信号を、その設備機器を監視制御する監視制御装置１に対して、上位ネットワークＮＴ２を通じて送信する。よって、制御信号を管理サーバ２から受信した監視制御装置１は、受信した制御信号に対して信号処理を施し、制御対象となる設備機器と、制御する動作状態とを確認する。そして、監視制御装置１は、制御対象となる設備機器を指定された動作状態とする制御信号を生成し、この制御信号を、制御対象となる設備機器に対して、下位ネットワークＮＴ１を通じて送信する。この制御信号を受信した設備機器は、管理サーバ２により指定された動作状態となるように制御される。
【００２２】
一方、設備機器からその動作状態を示す監視用信号が、下位ネットワークＮＴ１を通じて、監視制御装置１に送信されると、監視制御装置１は、受信した監視用信号に対して信号処理を施すことによって、設備機器の動作状態を確認する。そして、監視制御装置１は、確認した設備機器の動作状態を示す監視用信号を生成して、この生成した監視用信号を、管理サーバ２に対して、上位ネットワークＮＴ２を通じて送信する。よって、管理サーバ２は、監視制御装置１からの監視用信号を受信して、その信号の内容を解析することで、設備機器の動作状態を確認し、設備機器の遠隔監視を行う。
【００２３】
この管理サーバ２による遠隔監視制御を実現するために設置された監視制御装置１の動作について、図１に示す構成のものを例に挙げて、以下に説明する。監視制御装置１は、メモリ部１９内に、コネクタ部１１ａ，１１ｂ，１２それぞれに接続された下位ネットワーク及び上位ネットワークそれぞれの通信プロトコルに応じた信号処理動作のためのプログラム以外に、図３に示すような構成のネットワーク指定テーブルＴ１を記憶している。このメモリ部１９に記憶されるネットワーク指定テーブルＴ１は、設備機器である空調装置３ａ及び照明機器３ｂそれぞれのアドレスと管理サーバ２のアドレスに対して、その通信に利用するネットワークを指定する構成となっている。
【００２４】
尚、図３のネットワーク指定テーブルＴ１では、空調装置３ａが接続される下位ネットワークを「ＮＴ１ａ」とし、照明機器３ｂが接続される下位ネットワークを「ＮＴ１ｂ」とし、管理サーバ２が接続される上位ネットワークを「ＮＴ２」としている。又、図３のネットワーク指定テーブルＴ１では、空調装置３ａのアドレスを「Ａ１」〜「Ａ３」とし、照明機器３ｂのアドレスを「Ｂ１」〜「Ｂ５」とし、管理サーバ２のアドレスを「Ｃ１」とする。よって、ネットワーク指定テーブルＴ１において、アドレス「Ａ１」〜「Ａ３」に対して、空調装置３ａが接続される下位ネットワーク「ＮＴ１ａ」が、アドレス「Ｂ１」〜「Ｂ５」に対して、照明機器３ｂが接続される下位ネットワーク「ＮＴ１ｂ」が、アドレス「Ｃ１」に対して、管理サーバ２が接続される上位ネットワーク「ＮＴ２」が、それぞれ関連づけられて記憶される。
【００２５】
このようなネットワーク指定テーブルＴ１を有する監視制御装置１は、ネットワーク処理部１３ａ，１３ｂ，１４のそれぞれにおいて、コネクタ部１１ａ，１１ｂ，１２それぞれに接続された伝送線Ｌ１ａ，Ｌ１ｂ，Ｌ２より送信された信号を受信する。ネットワーク処理部１３ａ，１３ｂ，１４はそれぞれ、受信した信号に対して復号処理を施した後、バス回線１６を介してバスバッファ１５に送出する。即ち、バスバッファ１５は、ネットワーク処理部１３ａ，１３ｂ，１４それぞれで受信した信号を、その受信した順番に受けて、一時的に記憶する。このとき、ネットワーク処理部１３ａ，１３ｂ，１４のそれぞれからバスバッファ１５に送出される信号には、制御部１８を送出先とするデータが含まれる。よって、ネットワーク処理部１３ａ，１３ｂ，１４のそれぞれから送出されてバスバッファ１５に記憶された信号は、順番に制御部１８に送信される。
【００２６】
バスバッファ１５に一時的に記憶された制御部１８への信号は、バス回線１７を通じて、制御部１８に与えられると、制御部１８は、バスバッファ１５より送出された信号に含まれる送信元アドレスを確認する。そして、制御部１８は、メモリ部１９内のネットワーク指定テーブルＴ１を参照して、バスバッファ１５からの信号が、いずれのネットワークを通じて受信した信号であるかを認識する。そして、制御部１８は、認識したネットワークに応じた通信プロトコルによるプログラムをメモリ部１９より読み出し、このプログラムに従って、信号処理を行った後、処理した信号をデータメモリ部２０ａ，２０ｂ，２１のいずれかに格納する。
【００２７】
即ち、制御部１８は、バスバッファ１５からの信吾に含まれる送信元アドレスが、「Ａ１」〜「Ａ３」のいずれかである場合は、下位ネットワークＮＴ１ａから送信された信号であることを認識するため、この下位ネットワークＮＴ１ａにおける通信プロトコルに基づいて信号処理を行った後、バス回線１７を通じて、データメモリ２０ａに格納する。同様に、送信元アドレスが「Ｂ１」〜「Ｂ５」のいずれかである場合は、制御部１８は、下位ネットワークＮＴ１ｂにおける通信プロトコルに基づいて信号処理を行った後、バス回線１７を通じて、データメモリ２０ｂに格納し、送信元アドレスが「Ｃ１」である場合は、制御部１８は、上位ネットワークＮＴ２における通信プロトコルに基づいて信号処理を行った後、バス回線１７を通じて、データメモリ２１に格納する。これによって、制御部１８は、下位ネットワークＮＴ１ａ，ＮＴ１ｂ及び上位ネットワークＮＴ２それぞれより受信した信号毎に、信号処理を施した後、処理後のそれぞれの信号をデータメモリ２０ａ，２０ｂ，２１に振り分けることができる。
【００２８】
制御部１８で処理された信号が上位ネットワークＮＴ２からの制御信号の場合、制御部１８は、再び、バス回線１７を通じて、データメモリ２１から読み出し、その制御信号の内容を解析して、空調機器３ａ及び照明機器３ｂのいずれを制御するための信号であるかを確認する。そして、空調機器３ａに対する制御信号である場合は、制御部１８は、下位ネットワークＮＴ１ａに送信するための制御信号に変換し、バス回線１７を通じて、バスバッファ１５に送出する。一方、照明機器３ｂに対する制御信号である場合は、制御部１８は、下位ネットワークＮＴ１ｂに送信するための制御信号に変換し、バス回線１７を通じて、バスバッファ１５に送出する。このようにバスバッファ１５に送出する際、下位ネットワークＮＴ１ａに送信する制御信号に、ネットワーク処理部１３ａを送出先とするデータを付随させる一方で、下位ネットワークＮＴ１ｂに送信する制御信号に、ネットワーク処理部１３ｂを送出先とするデータを付随させる。
【００２９】
その後、バスバッファ１７に一時的に記憶された制御信号は、付随された送信先を示すデータに応じて、バス回線１６を通じて、ネットワーク処理部１３ａ，１３ｂに送出される。即ち、空調装置３ａに対する制御信号は、ネットワーク処理部１３ａで下位ネットワークＮＴ１ａの通信プロトコルに応じた信号に変換された後、コネクタ部１１ａより伝送線Ｌ１ａに送信される。これにより、制御対象とされる空調装置３ａに対して、下位ネットワークＮＴ１ａを通じて、その制御信号が監視制御装置１より送信される。又、照明機器３ｂに対する制御信号は、ネットワーク処理部１３ｂで下位ネットワークＮＴ１ｂの通信プロトコルに応じた信号に変換された後、コネクタ部１１ｂより伝送線Ｌ１ｂに送信されて、制御対象とされる照明機器３ｂに対して、下位ネットワークＮＴ１ｂを通じて送信される。この制御信号それぞれには、送信先となる制御対象の空調装置３ａ又は照明機器３ｂのアドレスと、送信元である監視制御装置１のアドレスとが、情報として含まれている。
【００３０】
又、制御部１８で処理された信号が下位ネットワークＮＴ１ａ，ＮＴ１ｂそれぞれからの監視用信号である場合、制御部１８は、再び、バス回線１７を通じて、データメモリ２０ａ，２０ｂのそれぞれから読み出す。このとき、制御部１８は、データメモリ２０ａから読み出した監視用信号を解析することで、空調装置３ａの動作状態を確認するとともに、データメモリ２０ｂから読み出した監視用信号を解析することで、空調機器３ｂの動作状態を確認する。そして、制御部１８は、空調装置３ａ及び照明機器３ｂそれぞれの動作状態を示す監視用信号を生成して、バス回線１７を通じて、バスバッファ１５に送出する。このようにバスバッファ１５に送出する際、その監視用信号に、ネットワーク処理部１４を送出先とするデータを付随させる。
【００３１】
その後、バスバッファ１７に一時的に記憶された監視用信号は、バス回線１６を通じて、ネットワーク処理部１４に送出されて、上位ネットワークＮＴ２の通信プロトコルに応じた信号に変換された後、コネクタ部１２より伝送線Ｌ２に送信される。これにより、管理サーバ２に対して、下位ネットワークＮＴ２を通じて、設備機器それぞれの動作状態を示す監視用信号が監視制御装置１より送信される。この監視用信号には、送信先となる管理サーバ２のアドレスと、送信元である監視制御装置１のアドレスとが、情報として含まれている。
【００３２】
又、監視用制御装置１は、メモリ部１９に、下位ネットワークＮＴ１の空調装置３ａ及び上位ネットワークＮＴ２の照明機器３ｂそれぞれに対して、所定時刻に所定の動作状態とするタイムスケジュール情報や、連動させる設備機器の関係を示す連動機器情報を記憶している。制御部１８は、メモリ部１９のタイムスケジュール情報又は連動機器情報を参照することによって、所定の時刻又は所定の設備機器の動作の認知をトリガとして、このトリガによって動作する設備機器とその動作状態を認識する。そして、制御部１８は、制御対象とする設備機器を所定の動作状態に制御するための制御信号を生成して、バスバッファ１５にバス回線１７を介して送出する。そして、バスバッファ１５に一時的に記憶された制御信号は、空調装置３ａを制御対象とする信号である場合、ネットワーク処理部１３ａに送出される一方で、照明機器３ｂを制御対象とする信号である場合、ネットワーク処理部１３ｂに送出される。その後、コネクタ１１ａ，１１ｂそれぞれか下位ネットワークＮＴ１ａ，ＮＴ１ｂそれぞれの伝送線Ｌ１ａ，Ｌ１ｂに送信されることで、目的とする空調装置３ａ又は照明機器３ｂを制御する。
【符号の説明】
【００３３】
１                監視制御装置
２                管理サーバ
３ａ              空調装置
３ｂ              照明機器
３ｃ              警報器
３Ｄ              電気錠
１１ａ，１１ｂ    コネクタ部
１２              コネクタ部
１３ａ，１３ｂ    ネットワーク処理部
１４              ネットワーク処理部
１５              バスバッファ
１６，１７        バス回線
１８              制御部
１９              メモリ部
２０ａ，２０ｂ    データメモリ部
２１              データメモリ部
【図１】
0005401194.tif 000002
【図２】
0005401194.tif 000003
【図３】
0005401194.tif 000004